【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
照明ユニットであって、（ａ）第１の光出射面、前記第１の光出射面の反対側に構成される第２の光出射面、及びエッジを含む導波路と、（ｂ）光源光で前記導波路を照明し、それによって、内部入力される前記光源光を前記導波路内に供給する光源とを含み、前記照明ユニットは、前記第１の光出射面及び前記第２の光出射面の１つ又は複数において、前記内部入力される光源光の一部が外部出力される光源光として前記導波路から逃げることができるようにし、前記照明ユニットは、更に、（ｃ）前記第１の光出射面に隣接し且つ第１の発光材料光を供給する第１の発光材料、及び前記第２の光出射面に隣接し且つ第２の発光材料光を供給する第２の発光材料の１つ又は複数を含み、前記第１の発光材料及び前記第２の発光材料は、前記外部出力される光源光によって励起可能であり、前記照明ユニットは、動作中、前記第１の光出射面から離れる方向に前記照明ユニットから発する第１の光、及び前記第２の光出射面から離れる方向に前記照明ユニットから発する第２の光を供給し、前記第１の光が、（ｉ）前記外部出力される光源光、並びに（ｉｉ）前記第１の発光材料光及び前記第２の発光材料光の１つ又は複数、の１つ又は複数の寄与を含み、前記第２の光が、（ｉｉｉ）前記外部出力される光源光、並びに（ｉｖ）前記第１の発光材料光及び前記第２の発光材料光の１つ又は複数、の１つ又は複数の寄与を含み、前記第１の光が、第１のスペクトル分布を有し、前記第２の光が、第２のスペクトル分布を有し、前記第１のスペクトル分布及び前記第２のスペクトル分布が異なり、前記照明ユニットは、複数の第１の反射器及び複数の第２の反射器の１つ以上を更に含む、照明ユニット。
【請求項２】
前記第１の光及び前記第２の光が異なる色温度を有する、請求項１に記載の照明ユニット。
【請求項３】
（ａ）前記第１の光出射面が、前記第１の発光材料を含む第１の発光材料層を含み、（ｂ）前記第２の光出射面が、前記第２の発光材料を含む第２の発光材料層を含み、以下の条件、即ち、（１）前記第１の発光材料層及び前記第２の発光材料層は、発光材料が異なること、（２）前記第１の発光材料層及び前記第２の発光材料層は、発光材料分布が異なること、（３）前記第１の発光材料層及び前記第２の発光材料層は、発光材料含有率が異なること、及び（４）前記第１の発光材料層及び前記第２の発光材料層は、層厚さが異なることの１つ又は複数が当てはまる、請求項１又は２に記載の照明ユニット。
【請求項４】
前記第１の光出射面が、前記第１の発光材料を含む複数の第１の発光材料領域を含み、前記複数の第１の発光材料領域が、前記第１の光出射面の一部を覆い、各第１の発光材料領域の下流には第１の反射器があり、前記第１の発光材料領域が、第１の発光材料光を発生し、前記第１の反射器が、前記第１の発光材料光の少なくとも一部を、前記第２の光出射面から離れる方向で前記導波路の外に出力し、前記第２の光出射面が、複数の第２の反射器を含み、前記複数の第２の反射器が、前記第２の光出射面の一部を覆い、且つ前記内部入力される光源光の少なくとも一部を、前記第１の光出射面から離れる方向で、外部出力される光源光として、前記導波路の外に出力する、請求項１乃至３のいずれか一項に記載の照明ユニット。
【請求項５】
前記第１の光出射面が、前記第１の発光材料を含む複数の第１の発光材料領域を含み、前記複数の第１の発光材料領域が、前記第１の光出射面の一部を覆い、各第１の発光材料領域の下流には第１の反射器があり、前記第１の発光材料領域が、第１の発光材料光を発生し、前記第１の反射器が、前記第１の発光材料光の少なくとも一部を、前記第２の光出射面から離れる方向で前記導波路の外に出力し、前記第２の光出射面が、前記第２の発光材料を含む複数の第２の発光材料領域を含み、前記複数の第２の発光材料領域が、前記第２の光出射面の一部を覆い、各第２の発光材料領域の下流には第２の反射器があり、前記第２の発光材料領域が、第２の発光材料光を発生し、前記第２の反射器が、前記第２の発光材料光の少なくとも一部を、前記第１の光出射面から離れる方向で前記導波路の外に出力し、前記第１の光出射面及び第２の光出射面は、それぞれ、第１の発光材料領域及び第２の発光材料領域による被覆率が異なる、請求項１乃至４のいずれか一項に記載の照明ユニット。
【請求項６】
前記第１の光出射面が、前記第１の発光材料を含む複数の第１の発光材料領域を含み、前記複数の第１の発光材料領域が、前記第１の光出射面の一部を覆い、各第１の発光材料領域の下流には第１の反射器があり、前記第１の発光材料領域が、第１の発光材料光を発生し、前記第１の反射器が、前記第１の発光材料光の少なくとも一部を、前記第２の光出射面から離れる方向で前記導波路の外に出力し、前記第２の光出射面が、前記第２の発光材料を含む複数の第２の発光材料領域を含み、前記複数の第２の発光材料領域が、前記第２の光出射面の一部を覆い、各第２の発光材料領域下流には第２の反射器があり、前記第２の発光材料領域が、第２の発光材料光を発生し、前記第２の反射器が、前記第２の発光材料光の少なくとも一部を、前記第１の光出射面から離れる方向で前記導波路の外に出力し、前記第１の発光材料領域及び前記第２の発光材料領域は、発光材料が異なる、請求項１乃至５のいずれか一項に記載の照明ユニット。
【請求項７】
前記第１の光出射面が、複数の第１の反射器を含み、前記複数の第１の反射器が、前記第１の光出射面の一部を覆い、前記第２の光出射面が、前記第２の発光材料を含む第２の発光材料層を含み、前記第２の発光材料層が、前記第２の光出射面を覆い、前記第２の発光材料層が、第２の発光材料光を発生し、前記第１の反射器が、前記内部入力される光源光の少なくとも一部を前記第２の発光材料層に導き、前記第２の光出射面において、外部出力される光源光を供給し、前記第２の発光材料層が、前記外部出力される光源光の一部に対して任意選択的に透過性である、請求項１乃至６のいずれか一項に記載の照明ユニット。
【請求項８】
前記第１の光出射面が、前記第１の発光材料を含む複数の第１の発光材料領域を含み、前記複数の第１の発光材料領域が、前記第１の光出射面の一部を覆い、各第１の発光材料領域の下流には第１の反射器があり、前記第１の発光材料領域が、第１の発光材料光を発生し、前記第２の光出射面が、前記第２の発光材料を含む第２の発光材料層を含み、前記第２の発光材料層が、前記第２の光出射面を覆い、前記第２の発光材料層が、第２の発光材料光を発生し、前記第１の発光材料領域及び前記第１の反射器が、前記第１の発光材料光の少なくとも一部を、前記第２の光出射面から離れる方向で前記導波路の外に出力し、前記第２の発光材料層が、前記第１の発光材料光の少なくとも一部に対して透過性である、請求項１乃至７のいずれか一項に記載の照明ユニット。
【請求項９】
前記第１の光出射面が、複数の第１の反射器を含み、前記複数の第１の反射器が、前記第１の光出射面の一部を覆い、前記照明ユニットが、前記第１の光出射面の下流に構成された前記第１の発光材料を含む第１の発光材料層を更に含み、前記第１の発光材料層が、第１の発光材料光を発生し、前記複数の第１の反射器が、前記第１の光出射面と前記第１の発光材料層との間に構成され、前記第２の光出射面が、複数の第２の反射器を含み、前記複数の第２の反射器が、前記第２の光出射面の一部を覆い、前記第１の反射器が、前記内部入力される光源光の少なくとも一部を、前記第２の光出射面から離れる方向で前記導波路の外に出力し、前記第２の反射器が、前記内部入力される光源光の少なくとも一部を前記第１の発光材料層に導き、前記第１の光出射面において、外部出力される光源光を供給し、前記第１の発光材料層が、前記外部出力される光源光の一部に対して任意選択的に透過性である、請求項１乃至８のいずれか一項に記載の照明ユニット。
【請求項１０】
前記第１の光出射面が、複数の第１の反射器を含み、前記複数の第１の反射器が、前記第１の光出射面の一部を覆い、前記照明ユニットが、前記第１の光出射面の下流に構成された、前記第１の発光材料を含む第１の発光材料層を更に含み、前記第１の発光材料層が、第１の発光材料光を発生し、前記複数の第１の反射器が、前記第１の光出射面と前記第１の発光材料層との間に構成され、前記第２の光出射面が、複数の第２の反射器を含み、前記複数の第２の反射器が、前記第２の光出射面の一部を覆い、前記照明ユニットが、前記第２の光出射面の下流に構成された、前記第２の発光材料を含む第２の発光材料層を更に含み、前記第２の発光材料層が、第２の発光材料光を発生し、前記複数の第２の反射器が、前記第２の光出射面と前記第２の発光材料層との間に構成され、前記第１の反射器が、前記内部入力される光源光の少なくとも一部を前記第２の発光材料層に導き、前記第２の光出射面において、外部出力される光源光を供給し、前記第２の発光材料層が、前記外部出力される光源光の一部に対して任意選択的に透過性であり、前記第２の反射器が、前記内部入力される光源光の少なくとも一部を前記第１の発光材料層に導き、前記第１の光出射面において、外部出力される光源光を供給し、前記第１の発光材料層が、前記外部出力される光源光の一部に対して任意選択的に透過性である、請求項１乃至９のいずれか一項に記載の照明ユニット。
【請求項１１】
前記第１の光出射面が、前記第１の発光材料を含む第１の発光材料層を含み、前記第１の発光材料層が、前記第１の光出射面を覆い、前記第１の発光材料層が、第１の発光材料光を発生し、前記第２の光出射面が、複数の第２の反射器を含み、前記複数の第２の反射器が、前記第２の光出射面の一部を覆い、前記照明ユニットが、前記第２の光出射面の下流に構成された、前記第２の発光材料を含む第２の発光材料層を更に含み、前記第２の発光材料層が、第２の発光材料光を発生し、前記複数の第２の反射器が、前記第２の光出射面と前記第２の発光材料層との間に構成され、前記第２の反射器が、前記内部入力される光源光の少なくとも一部を前記第１の発光材料層に導き、前記第１の光出射面において、外部出力される光源光を供給し、前記第１の発光材料層が、前記外部出力される光源光の一部に対して任意選択的に透過性であり、前記第１の発光材料層が、前記内部入力される光源光の少なくとも一部を前記第２の発光材料層に導き、前記第２の発光材料層が、前記内部入力される光源光の一部に対して任意選択的に透過性である、請求項１乃至１０のいずれか一項に記載の照明ユニット。
【請求項１２】
前記第１の光出射面が、前記第１の発光材料を含む複数の第１の発光材料領域、及び複数の第１の反射器を含み、前記第１の発光材料領域及び前記複数の第１の反射器が、前記第１の光出射面の一部を覆い、前記第２の光出射面が、前記第２の発光材料を含む複数の第２の発光材料領域、及び複数の第２の反射器を含み、前記第２の発光材料領域及び前記複数の第２の反射器が、前記第２の光出射面の一部を覆い、前記照明ユニットが、第１の反射器及び第２の発光材料領域の第１の対を含み、各第１の対に関して、前記第１の反射器及び第２の発光材料領域が、間の前記導波路に対して互いに反対側に構成され、前記照明ユニットが、第２の反射器及び第１の発光材料領域の第２の対を含み、各第２の対に関して、前記第２の反射器及び第１の発光材料領域が、間の前記導波路に対して互いに反対側に構成される、請求項１乃至１１のいずれか一項に記載の照明ユニット。
【請求項１３】
前記第１の光出射面が、前記第１の発光材料を含む複数の第１の発光材料領域を含み、前記複数の第１の発光材料領域が、前記第１の光出射面の一部を覆い、各第１の発光材料領域の下流には第１の反射器があり、前記第１の発光材料領域が、第１の発光材料光を発生し、前記第２の光出射面が、前記第２の発光材料を含む第２の発光材料層を含む切り替え可能な発光層システムを含み、前記切り替え可能な発光層システムが、前記第２の光出射面を覆い、前記切り替え可能な発光層システムの下流には複数の第２の反射器があり、前記複数の第２の反射器が、前記切り替え可能な発光層システムの一部を覆い、前記第２の発光材料層が、第２の発光材料光を発生し、前記第１の発光材料領域及び前記第１の反射器が、前記第１の発光材料光の少なくとも一部を、前記第２の光出射面から離れる方向で前記導波路の外に出力し、前記切り替え可能な発光層システムが、前記第１の発光材料光の少なくとも一部に対して透過性であり、前記切り替え可能な発光層システムが、低強度の前記発光材料光を伴う第１の状態と、高強度の前記発光材料光を伴う第２の状態との間で切り替え可能である、請求項１乃至１２のいずれか一項に記載の照明ユニット。
【請求項１４】
前記光源が発光装置を含み、前記光源光が青色光を含む、請求項１乃至１３のいずれか一項に記載の照明ユニット。
【請求項１５】
異なる方向で導波路から発する、第１のスペクトル分布を有する第１の光及び第２のスペクトル分布を有する第２の光を供給する方法であって、前記第１のスペクトル分布及び第２のスペクトル分布が異なり、請求項１乃至１４のいずれか一項に記載の照明ユニットを提供すること、及び光源光を前記導波路に導入することを含む、方法。